(57)【要約】【課題】原稿のサイズ毎の排紙トレイの引き出し及び収容の位置合わせが容易にできる画像処理装置を提供する。【解決手段】画像読取装置の排紙装置２においては、支持部４から第一排紙トレイ２１が引き出され、次いで、第二排紙トレイ２２が引き出され、最後に、第三排紙トレイ２３が引き出される。排紙装置２の収容時には、第三排紙トレイ２３が収容され、次いで、第二排紙トレイ２２が収容され、最後に、第一排紙トレイ２１が支持部４に収容される。従って、第二排紙トレイ２２の各マークのいずれかを第一排紙トレイ２１の前端部に位置合わせしたい場合に、第二排紙トレイ２２が引き出され過ぎた場合には、第一排紙トレイ２１及び第二排紙トレイ２２を支持部４に全て収納して最初からやり直す必要がない。【選択図】図６
2016190710.tif 000002
【特許請求の範囲】
【請求項１】
排出口から排出されるシートを支持する画像処理装置であって、
前記画像処理装置を支持する支持部と、
前記支持部の内部に引き出し可能に収容され、排出されるシートのサイズに応じた引き出し位置を示す基準を示す第一基準が記された第一排紙トレイと、
前記第一排紙トレイの内部に引き出し可能に収容され、前記第一排紙トレイが前記支持部の内部から既定位置まで引き出された場合の前記基準を示す第二基準が記された第二排紙トレイと、
前記第二排紙トレイの内部に引き出し可能に収容され、前記第一排紙トレイが前記支持部の内部から前記既定位置まで引き出され、前記第二排紙トレイが前記第一排紙トレイの内部から所定位置まで引き出された場合の前記基準を示す第三基準が記された第三排紙トレイと、
を備え、
前記支持部は、前記第一排紙トレイの前記支持部からの引き出し方向と交差する交差方向において、前記排出口側である上方に凹む第一収容部空間を備えた支持壁を備え、
前記第一排紙トレイは、
前記支持壁の方向に突出する第一突出部と、
前記第二排紙トレイに対向する前記第一排紙トレイの下壁面と、
前記第一突出部よりも引き出し方向側に設けられ、前記第一排紙トレイの下壁面が前記支持壁の方向に凹む第二収容部空間と
を備え、
前記第二排紙トレイは、前記第一排紙トレイの下壁面の方向に突出する第二突出部を備え、
前記第三排紙トレイは、前記第二排紙トレイの方向に突出する第三突出部を備え、
前記第一排紙トレイは、前記第二突出部が係合する第一係合部を更に備え、
前記第二排紙トレイは、前記第三突出部が係合する第二係合部を更に備え、
前記第三排紙トレイを収容した前記第二排紙トレイが前記第一排紙トレイの内部に収容されている状態における前記第一突出部の高さは、前記支持壁よりも低く、
前記第一係合部の下端部から前記第一突出部の頂部までの第一高さと、前記第二係合部の下端部から前記第二突出部の頂部までの第二高さとの合計高さは、
前記第三突出部の頂部から前記支持壁までの第三高さよりも高く、
前記第三突出部の頂部から前記第一収容部空間の頂部までの第四高よりも低く、
前記第二高さは、
前記第三突出部の頂部から前記第一係合部までの第五高さよりも高く、
前記第三突出部の頂部から前記第二収容部空間の頂部までの第六高さよりも低く、
前記第二突出部は、前記第一係合部よりも収容方向側に位置し、
前記第三突出部は、前記第二係合部よりも収容方向側に位置する
ことを特徴とする画像処理装置。
【請求項２】
前記シートを排出する排出ローラと、前記排出ローラに従動する従動ローラとを備え、
前記第一排紙トレイは、前記シートを受ける第一排紙面を備え、
前記支持壁において前記第一収容部空間と反対側の第一傾斜面と、前記排出ローラと前記従動ローラとのニップ点における接線方向とのなす第一角は、
前記第一排紙面と前記接線方向とのなす第二角よりも小さいことを特徴とする請求項１記載の画像処理装置。
【請求項３】
前記第一排紙トレイは、前記支持部の内部から引き出された状態において、前記第一傾斜面と前記第一排紙面とに連続する第二傾斜面を備えることを特徴とする請求項２に記載の画像処理装置。
【請求項４】
前記第二傾斜面は、前記第一突出部よりも低い位置に形成されることを特徴とする請求項３に記載の画像処理装置。
【請求項５】
前記第一係合部と前記第二突出部とが係合する垂直面と、前記第二係合部と前記第三突出部とが係合する垂直面とが異なった面であることを特徴とする請求項１〜４の何れかに記載の画像処理装置。
【発明の詳細な説明】
【技術分野】
【０００１】
本発明は、排出口から排出されるシートを支持する画像処理装置に関する。
【背景技術】
【０００２】
従来、ＦＡＸ、スキャナ等の装置には、排出されるシートを支持するシートトレイが備えられる。近年、装置の小型化が求められている一方、大きなサイズのシートの読み取り又は印刷が求められている。この相反する要望を解決可能な装置として、特許文献１は、重畳された複数の受け部材が引き出し可能なシートトレイを開示する。特許文献１に開示のシートトレイは、シートを支持する上面を各々有する第一受け部材、第二受け部材及び第三受け部材を有する。第二受け部材は、凹部から成る第一把持部を有し、且つ、第一受け部材に対して収容及び引き出し可能である。第三受け部材は、凹部から成る第二把持部を有し、且つ、第二受け部材に対して収容及び引き出し可能である。
【０００３】
使用者が第二把持部を把持して第三受け部材を引き出し方向に移動させると、第三受け部材は第二受け部材から引き出される。使用者が更に第三受け部材を引き出し方向に移動させると、第三受け部材を支持する第二受け部材は、第三受け部材と一体に引き出し方向に移動する。その結果、第二受け部材は、第一受け部材から引き出される。以上の動作により、シートトレイにおけるシートの支持面が、第一受け部材、第二受け部材及び第三受け部材によって形成される。
【先行技術文献】
【特許文献】
【０００４】
【特許文献１】特開２０１５−３４０６７号公報
【発明の概要】
【発明が解決しようとする課題】
【０００５】
特許文献１に記載のシートトレイにおいては、受け部材の引き出し順は、最初に、第三受け部材が第二受け部材から引き出され、次に、第二受け部材が第一受け部材から引き出される順になっている。従って、第三受け部材の操作過重が第二受け部材の操作過重よりも軽いと考えられる。従って、受け部材の収容順番も、操作荷重の軽い順に、第三受け部材が第二受け部材に収容され、第二受け部材が第一受け部材に収容される順になると考えられる。例えば、支持可能なシートのサイズを示す複数の刻印が第二受け部材に設けられ、使用者が第一受け部材の端部に何れかの刻印を合わせて第二受け部材の引き出し量を調整することも考えられる。
【０００６】
使用者が第二受け部材を第一受け部材から引き出し過ぎた場合には、使用者は第二受け部材を第一受け部材内に戻して、第一受け部材の端部に第二受け部材の刻印を合わせようとする。しかし、使用者が第二把持部を第二受け部材の収容方向に押し込むと、操作荷重が軽い第三受け部材が先に、第二受け部材に収容されてしまう。従って、一端、第三受け部材及び第二受け部材を第一受け部材に収容して、引き出しの操作をやり直さないと、第一受け部材の端部に第二受け部材の刻印が合わせられないという問題点があった。
【０００７】
本発明の目的は、原稿のサイズ毎の排紙トレイの引き出し及び収容の位置合せが容易にできる画像処理装置を提供することである。
【課題を解決するための手段】
【０００８】
本発明の一態様に係る画像処理装置は、排出口から排出されるシートを支持する画像処理装置であって、前記画像処理装置を支持する支持部と、前記支持部の内部に引き出し可能に収容され、排出されるシートのサイズに応じた引き出し位置を示す基準を示す第一基準が記された第一排紙トレイと、前記第一排紙トレイの内部に引き出し可能に収容され、前記第一排紙トレイが前記支持部の内部から既定位置まで引き出された場合の前記基準を示す第二基準が記された第二排紙トレイと、前記第二排紙トレイの内部に引き出し可能に収容され、前記第一排紙トレイが前記支持部の内部から前記既定位置まで引き出され、前記第二排紙トレイが前記第一排紙トレイの内部から所定位置まで引き出された場合の前記基準を示す第三基準が記された第三排紙トレイと、を備え、前記支持部は、前記第一排紙トレイの前記支持部からの引き出し方向と交差する交差方向において、前記排出口側である上方に凹む第一収容部空間を備えた支持壁を備え、前記第一排紙トレイは、前記支持壁の方向に突出する第一突出部と、前記第二排紙トレイに対向する前記第一排紙トレイの下壁面と、前記第一突出部よりも引き出し方向側に設けられ、前記第一排紙トレイの下壁面が前記支持壁の方向に凹む第二収容部空間とを備え、前記第二排紙トレイは、前記第一排紙トレイの下壁面の方向に突出する第二突出部を備え、前記第三排紙トレイは、前記第二排紙トレイの方向に突出する第三突出部を備え、前記第一排紙トレイは、前記第二突出部が係合する第一係合部を更に備え、前記第二排紙トレイは、前記第三突出部が係合する第二係合部を更に備え、前記第三排紙トレイを収容した前記第二排紙トレイが前記第一排紙トレイの内部に収容されている状態における前記第一突出部の高さは、前記支持壁よりも低く、前記第一係合部の下端部から前記第一突出部の頂部までの第一高さと、前記第二係合部の下端部から前記第二突出部の頂部までの第二高さとの合計高さは、前記第三突出部の頂部から前記支持壁までの第三高さよりも高く、前記第三突出部の頂部から前記第一収容部空間の頂部までの第四高よりも低く、前記第二高さは、前記第三突出部の頂部から前記第一係合部までの第五高さよりも高く、前記第三突出部の頂部から前記第二収容部空間の頂部までの第六高さよりも低く、前記第二突出部は、前記第一係合部よりも収容方向側に位置し、前記第三突出部は、前記第二係合部よりも収容方向側に位置することを特徴とする。
【０００９】
画像処理装置において、支持部に第一排紙トレイ、第二排紙トレイ及び第三排紙トレイが収容された状態において、使用者が第三排紙トレイを引くと、第三突出部が第二係合部に係合し、第二突出部が第一係合部に係合する。従って、第一排紙トレイに第二排紙トレイ及び第三排紙トレイが収容された状態で、第一排紙トレイが支持部から引き出される。第一突出部は第一収容部空間に対向する。使用者が第三排紙トレイをさらに引くと、第一突出部が撓んで第一収容部空間に移動する。従って、第二突出部の第一係合部への係合が解除されて、第二排紙トレイが第一排紙トレイに対して引き出され、第二突出部が第二収容部空間に対向する。使用者が第三排紙トレイをさらに引くと、第二突出部が撓んで第二収容部空間に移動する。従って、第三突出部の第二係合部への係合が解除されて、第三排紙トレイが第二排紙トレイに対して引き出される。従って、トレイが引き出される順番は、第一排紙トレイ、第二排紙トレイ、第三排紙トレイの順である。この状態から、使用者が第三排紙トレイを収容方向に押し込むと、第三排紙トレイが第二排紙トレイに収容される。さらに、使用者が第三排紙トレイを収容方向に押し込むと、第三排紙トレイが収容された第二排紙トレイが第一排紙トレイに収容される。さらに、使用者が第三排紙トレイを収容方向に押し込むと、第三排紙トレイ及び第二排紙トレイが収容された第一排紙トレイが支持部に収容される。従って、トレイが収容される順番は、第三排紙トレイ、第二排紙トレイ、第一排紙トレイの順である。この結果、使用者がトレイを引き出し過ぎて基準の位置合わせをやり直す場合には、第一排紙トレイ、第二排紙トレイ、第三排紙トレイを一旦全部閉じてやり直す必要がなく、引き出し時と収容時時のどちらでも基準が正確に位置するようにトレイの位置を調整できる。
【００１０】
前記シートを排出する排出ローラと、前記排出ローラに従動する従動ローラとを備え、前記第一排紙トレイは、前記シートを受ける第一排紙面を備え、前記支持壁において前記第一収容部空間と反対側の第一傾斜面と、前記排出ローラと前記従動ローラとのニップ点における接線方向とのなす第一角は、前記第一排紙面と前記接線方向とのなす第二角よりも小さくてもよい。この場合、第一角が第二角よりも小さいので、排出ローラによって排出されるシートが第一傾斜面に浅い角度で当接する。従って、シートが座屈して排紙される可能性が低減される。また、収容部空間が第一傾斜面の内部に配置されるので、スペースを節約でき、画像処理装置を小型化できる。
【００１１】
前記第一排紙トレイは、前記支持部の内部から引き出された状態において、前記第一傾斜面と前記第一排紙面とに連続する第二傾斜面を備えてもよい。この場合、第二傾斜面が第一傾斜面と前記第一排紙面とを連続するので、段差ができずに、シートが円滑に排出される。
【００１２】
前記第二傾斜面は、前記第一突出部よりも低い位置に形成されてもよい。この場合、前記第二傾斜面が前記第一突出部よりも低い位置に形成されているので、第二傾斜面が第一排紙トレイの引き出し及び収容の妨げにならない。
【００１３】
前記第一係合部と前記第二突出部とが係合する垂直面と、前記第二係合部と第三突出部とが係合する垂直面とは異なった面であってもよい。この場合には、第一係合部、第二突出部、第二係合部及び第三突出部の配置の自由度が高まる。また、同一垂直面上に第一係合部、第二突出部、第二係合部及びと第三突出部を積み上げないので、画像処理装置の上下方向における大きさを小さくできる。
【図面の簡単な説明】
【００１４】
【図１】画像読取装置１の斜視図である。
【図２】画像読取装置１から排紙装置２が引き出された状態を示す画像読取装置１の斜視図である。
【図３】排紙装置２の斜視図である。
【図４】全ての排紙トレイが引き出された状態の排紙装置２の平面図である。
【図５】図４のＶ−Ｖ線における排紙装置２の断面を示す斜視図である
【図６】排紙装置２の各排紙トレイが引き出される状態を示した平面図である。
【図７】図３の仮想円Ｘの部分の拡大断面図である。
【図８】図６（１）のＸＩ−ＸＩ線における矢印方向から見た排紙装置２の部分断面図である。
【図９】図６（１）のＸＩＩ−ＸＩＩ線における矢印方向から見た排紙装置２の部分断面図である。
【図１０】図６（３）のＸＩＩＩ−ＸＩＩＩ線における矢印方向から見た排紙装置２の部分断面図である。
【図１１】シートが画像読取装置１から第一排紙トレイ２１に排出される状態を示した部分断面図である。
【発明を実施するための形態】
【００１５】
本発明を具現化した実施形態の画像読取装置１について、図面を参照して説明する。図１及び図２に示すように、画像読取装置１は、筐体１０、給紙装置３、及び、排紙装置２を有する。以下の説明においては、図１の上側、下側、左方斜め上側、右方斜め下側、左方斜め下側、及び、右方斜め上側を、それぞれ、画像読取装置１の上側、下側、左側、右側、前側、及び、後側とする。
【００１６】
＜筐体１０＞
図１、図２に示すように、筐体１０は、第一筐体１１及び第二筐体１２を有する。第一筐体１１及び第二筐体１２のそれぞれの形状は、略箱状である。第一筐体１１は、第一筐体１１の下部に設けられた図示外の軸部により、第二筐体１２を開閉に支持する。
【００１７】
図１、図２に示すように、第二筐体１２は、筐体１０の上側の面を形成する上面１２Ａを有する。上面１２Ａには、表示部１２１及び操作部１２２が設けられる。表示部１２１は、画像読取装置１の状態を表示可能な、液晶ディスプレイである。操作部１２２は、画像読取装置１に対して指示を入力することが可能な、複数の押ボタンである。表示部１２１及び操作部１２２は、制御部１３１と電気的に接続する。制御部１３１は、第二筐体１２のうち上面１２Ａの裏側に配置される。制御部１３１は、画像読取装置１の制御を司るＣＰＵを含む。なお、制御部１３１が第一筐体１１に含まれていてもよい。
【００１８】
図２に示すように、第二筐体１２が第一筐体１１に対して閉位置に配置された状態で、筐体１０の後側上部の第一筐体１１と第二筐体１２との対向部には、給紙口１０Ａが形成されている。また、筐体１０の前側下部の第一筐体１１と第二筐体１２との対向部には、排紙口１０Ｂが形成されている。排紙口１０Ｂが本発明の「排出口」の一例である。
【００１９】
＜排紙装置２＞
図１及び図２に示すように、排紙装置２は、第一筐体１１の下部に設けられている。図２〜図５に示すように、排紙装置２は、支持部４、第一排紙トレイ２１、第二排紙トレイ２２、及び、第三排紙トレイ２３を有する。図１に示すように、支持部４は画像読取装置１を例えば、設置面５に支持する。第一排紙トレイ２１〜第三排紙トレイ２３は、排紙口１０Ｂから排紙されるシートを支持する板状のトレイである。以下の説明では、第一排紙トレイ２１、第二排紙トレイ２２、及び第三排紙トレイ２３の前方への移動方向を「引き出し方向」という。また、第一排紙トレイ２１、第二排紙トレイ２２、及び第三排紙トレイ２３の後方への移動方向を「収容方向」という。図３は、支持部４内に、第一排紙トレイ２１、第二排紙トレイ２２、及び、第三排紙トレイ２３が収容された状態を示す。第三排紙トレイ２３が一番下部に設けられ、第三排紙トレイ２３の上方に第二排紙トレイ２２が設けられ、第二排紙トレイ２２の上方に第一排紙トレイ２１が設けられている。図４及び図５は、支持部４から、第一排紙トレイ２１、第二排紙トレイ２２、及び、第三排紙トレイ２３が全て引き出された状態を示す。第二排紙トレイ２２は、第三排紙トレイ２３を内部に収容可能である。第一排紙トレイ２１は、第二排紙トレイ２２を内部に収容可能である。支持部４は、第一排紙トレイ２１を内部に収容可能である。第一排紙トレイ２１は、上面にシートを受ける第一排紙面２１Ａを有する。第二排紙トレイ２２は、上面にシートを受ける第二排紙面２２Ａを有する。第三排紙トレイ２３は、上面にシートを受ける第三排紙面２３Ａを有する。
【００２０】
＜支持部４＞
図１及び図２に示すように、支持部４は、第一筐体１１の下部に設けられている。図３に示すように、支持部４は、支持壁４０、後壁４４、及び突出部４１を有する略箱状の部材である。支持壁４０は、前後左右に延びる略矩形の板状の部材であり、上面４３及び下面４５を有する。支持壁４０の前端部側には、上方に突出した突出部４１が設けられている。突出部４１は、排紙口１０Ｂの下方に位置している。突出部４１は、垂直壁面４１Ａと垂直壁面４１Ａの上部から前部に向けて傾斜する第一傾斜面４１Ｂとを備える。突出部４１の内部には、第一収容部空間４２が形成されている。従って、第一収容部空間４２は、上方に支持壁４０が凹む空間である。また、突出部４１の前部側の端部には、上下左右に延びる略矩形の開口部４１Ｃが形成されている。開口部４１Ｃから第一排紙トレイ２１が引き出し可能である。支持部４の後部には、上面４３と直交する方向に延設された後壁４４が設けられている。後壁４４は上下左右に延びる略矩形の板状の壁部であり、支持部４の後部を閉鎖する。
【００２１】
＜第一排紙トレイ２１＞
図４〜図６に示すように、第一排紙トレイ２１は、上方から見た場合、前後左右に延びる略矩形の板状の部材である。第一排紙トレイ２１は、支持部４の開口部４１Ｃから前方向に引き出し可能である。図７に示すように、第一排紙トレイ２１は、第一排紙面２１Ａ、下壁面２１０、第一突出部２１２及び突出部２１４を備える。第一排紙トレイ２１の下面側には、第二排紙トレイ２２に対向する下壁面２１０が形成されている。第一排紙トレイ２１の後端部側には、第一突出部２１２が支持部４の支持壁４０の方向に突出するように形成されている。第一突出部２１２は、断面形状が三角形状に形成されている。図３、図５及び図８に示すように、第一突出部２１２より前側の第一排紙面２１Ａには、上方に突出した突出部２１４が設けられている。図８に示すように、突出部２１４は、垂直壁面２１４Ａ、第二傾斜面２１４Ｂ及び水平面２１４Ｃを有する。突出部２１４の断面は台形状である。図４に示すように、突出部２１４は、左右一対設けられている。第二傾斜面２１４Ｂが突出部２１４の水平面２１４Ｃよりも低い位置に形成されている。
【００２２】
図７においては、第一排紙トレイ２１及び第二排紙トレイ２２の左方向は、図面の裏側方向であり、右方向は図面の表側方向である。図７に示すように、第一排紙トレイ２１の下壁面２１０の後端部には、後述する第二排紙トレイ２２の第二突出部２２１が係合する第一係合部２１３が設けられている。第一係合部２１３は、側面略三角形状の突起である。第一係合部２１３は、図７に示す第一排紙トレイ２１及び第二排紙トレイ２２の断面よりも左方向にずれて設けられている。図１０に示すように、第一排紙トレイ２１の前端部側の下壁面２１０には、第二収容部空間２１６が設けられている。第二収容部空間２１６は、下壁面２１０が上方に凹むことにより形成される。第二収容部空間２１６は、略箱状の空間である。下壁面２１０の前端部には、壁面２１７が設けられている。壁面２１７は第二収容部空間２１６を定義する壁面を構成する。図７〜図１０に示すように、下壁面２１０には、前後左右方向に延びる壁部２１１が形成されている。壁部２１１は、図７〜図１０に示す第一排紙トレイ２１の断面よりも左方向にずれて形成されている。壁部２１１も上方から見た場合には、前後左右に延びる略矩形の一定厚みを有する壁部である。尚、第二排紙トレイ２２の第二突出部２２１の高さは、壁部２１１の下面よりも低い。第一排紙トレイ２１の前端部には、上下左右方向に延びる略矩形の開口部２１Ｂが形成されている。
【００２３】
＜第二排紙トレイ２２＞
図４〜図６に示すように、第二排紙トレイ２２は、上方から見た場合、前後左右に延びる略矩形の板状の部材である。第二排紙トレイ２２は、第一排紙トレイ２１の前端部の開口部２１Ｂから前方向に引き出し可能である。図７に示すように、第二排紙トレイ２２の第一排紙面２１Ａの後端部には、上方に突出する突出部２２０が形成されている。突出部２２０は、断面形状が略三角形状に形成されている。第二排紙面２２Ａにおいて、突出部２２０の前側には、第二突出部２２１が設けられている。第二突出部２２１は側面が略三角形状に形成されている。第二突出部２２１は、図７及び図８に示す第二排紙トレイ２２の断面よりも第二排紙トレイ２２の左右方向の左側にずれて形成されている。第二突出部２２１が第一排紙トレイ２１の第一係合部２１３と係合する。第二排紙トレイ２２の下面側の後端部には、後述する第三排紙トレイ２３の第三突出部２３１が係合する第二係合部２２３が設けられている。第二係合部２２３は側面が略三角形状の突起である。第二係合部２２３は、図７及び図８に示す第二排紙トレイ２２の断面よりも第二排紙トレイ２２の左右方向の左側にずれて形成されている。第二排紙トレイ２２の前端部には、図５に示すように、上下左右に延びる略矩形の開口部２２Ｂが形成されている。
【００２４】
＜第三排紙トレイ２３＞
図４〜図６に示すように、第三排紙トレイ２３は、上方から見た場合、前後左右に延びる略矩形の板状の部材である。第三排紙トレイ２３は、第二排紙トレイ２２の前端部の開口部２２Ｂから前方向に引き出し可能である。図７に示すように、第三排紙トレイ２３の後端部には、上方に突出する第三突出部２３１が形成されている。第三突出部２３１は、側面形状が略三角形状に形成されている。第三突出部２３１は、図７及び図８に示す第三排紙トレイ２３の断面よりも第三排紙トレイ２３の左右方向の左側にずれて形成されている。また、第三排紙トレイ２３には、引き起こし可能な把持部２４が設けられている。把持部２４には、使用者が指先を引っかける凹部２４Ａが設けられている。
【００２５】
＜引き出し位置の基準＞
図４に示すように、第一排紙トレイ２１の第一排紙面２１Ａの左端部には、排出されるシートのサイズに応じた引き出し位置を示す、刻印としてのマーク２５Ａ、マーク２５Ｂ及びマーク２５Ｃが前端部に向けて順に設けられている。支持部４に一番近いマーク２５Ａは、縦置きのＡ６シートの引き出し位置を示すマークである。マーク２５Ｂは、縦置きのカードの引き出し位置を示すマークである。マーク２５Ｃは、横置きのカードの引き出し位置を示すマークである。マーク２５Ａ、マーク２５Ｂ及びマーク２５Ｃが第一排紙トレイ２１の引き出し位置を示す第一基準２５である。使用者がマーク２５Ａ、マーク２５Ｂ及びマーク２５Ｃの何れかを支持部４の前端部に合わせて第一排紙トレイ２１を引き出したときに、排紙装置２がマークに表されているシートを受ける大きさになる。マーク２５Ａ、マーク２５Ｂ及びマーク２５Ｃの何れかが支持部４の前端部に合わせられて示される引き出し位置は、把持部２４に対して定められる。例えば、マーク２５Ａが、支持部４の前端部に合わせられた場合は、一例として支持部４の前端部と把持部２４の前端部との前後方向の長さが、縦置きのＡ６シートの長さに対応する。
【００２６】
尚、支持部４内には、図示しない係止部材が設けられている。この係止部材は、第一排紙トレイ２１が前方向に既定位置まで引き出された場合に、第一排紙トレイ２１の前方向への移動を禁止する。従って、「既定位置」は、第一排紙トレイ２１が前方向に引き出し可能なだけ引き出された位置であり、図４に示す、第一排紙面２１Ａの後端部２１Ｃが支持部４の開口部４１Ｃから露出する位置である。また、第一排紙トレイ２１内にも、図示しない係止部材が設けられている。この係止部材は、第二排紙トレイ２２が前方向に所定位置まで引き出された場合に、第二排紙トレイ２２の前方向への移動を禁止する。従って、「所定位置」は、第二排紙トレイ２２が前方向に引き出し可能なだけ引き出された位置であり、図４に示す、第二排紙面２２Ａの後端部２２Ｃが第一排紙トレイ２１の開口部２１Ｂから露出する位置である。また、第二排紙トレイ２２内にも、図示しない係止部材が設けられている。この係止部材は、第三排紙トレイ２３が前方向に引き出し可能なだけ引き出された場合に、第三排紙トレイ２３の前方向への移動を禁止する。
【００２７】
図４に示すように、第二排紙トレイ２２の第二排紙面２２Ａの左端部にも、排出されるシートのサイズに応じた引き出し位置を示すマーク２６Ａ、マーク２６Ｂ及びマーク２６Ｃが前端部に向けて順に設けられている。第一排紙トレイ２１に一番近いマーク２６Ａは、横置きのＢ５シートの引き出し位置を示すマークである。マーク２６Ｂは、縦置きのＡ５シートの引き出し位置を示すマークである。マーク２６Ｃは、縦置きのＢ６シートの引き出し位置を示すマークである。マーク２６Ａ、マーク２６Ｂ及びマーク２６Ｃが第二排紙トレイ２２の引き出し位置を示す第二基準２６である。使用者が第一排紙トレイ２１を支持部４から既定位置まで引き出し、次いで、使用者がマーク２６Ａ、マーク２６Ｂ及びマーク２６Ｃの何れかを第一排紙トレイ２１の前端部に合わせて第二排紙トレイ２２を引き出したときに、排紙装置２がマークに表されているシートを受ける大きさになる。マーク２６Ａ、マーク２６Ｂ及びマーク２６Ｃの何れかが第一排紙トレイ２１の前端部に合わせられて示される引き出し位置は、把持部２４に対して定められる。例えば、マーク２６Ａが第一排紙トレイ２１の前端部に合わせられた場合は、一例として支持部４の前端部と把持部２４の前端部との前後方向の長さが、横置きのＢ５シートの長さに対応する。
【００２８】
図４に示すように、第三排紙トレイ２３の第三排紙面２３Ａの左端部にも、排出されるシートのサイズに応じた引き出し位置を示すマーク２７Ａ及びマーク２７Ｂが先端に向けて順に設けられている。第二排紙トレイ２２に一番近いマーク２７Ａは、縦置きのリーガルサイズのシートの引き出し位置を示すマークである。マーク２７Ｂは、縦置きのＡ６シート又はレターサイズのシートの引き出し位置を示すマークである。マーク２７Ａ及びマーク２７Ｂが第三排紙トレイ２３の引き出し位置を示す第三基準２７である。使用者が第一排紙トレイ２１を支持部４から既定位置まで引き出し、次いで、使用者がマーク２７Ａ又はマーク２７Ｂの何れかを第二排紙トレイ２２の前端部に合わせて第三排紙トレイ２３を引き出したときに、排紙装置２がマークに表されているシートを受ける大きさになる。マーク２７Ａ、マーク２７Ｂ及びマーク２７Ｃの何れかが第二排紙トレイ２２の前端部に合わせられて示される引き出し位置は、把持部２４に対して定められる。例えば、マーク２７が、第二排紙トレイ２２の前端部に合わせられた場合は、一例として支持部４の前端部と把持部２４の前端部との前後方向の長さが、縦置きのリーガルサイズのシートの長さに対応する。
＜給紙装置３＞
図１及び図２に示すように、給紙装置３は、第一給紙装置３１、第二給紙装置３２、及び、第三給紙装置３３を有する。第一給紙装置３１〜第三給紙装置３３の形状は、略板状である。第一給紙装置３１は、第一筐体１１のうち給紙口１０Ａの後側から、後方斜め上側に向けて延びる。第一給紙装置３１の左右方向の長さは、第一筐体１１の左右方向の長さと略同一である。以下、第一給紙装置３１の上側の面を、トレイ面３６という。
【００２９】
第一給紙装置３１のトレイ面３６の左側に、ガイド３１Ａが設けられる。第一給紙装置３１のトレイ面３６の右側に、ガイド３１Ｂが設けられる。ガイド３１Ａ、３１Ｂは、板状部材である。ガイド３１Ａ、３１Ｂは、トレイ面３６から上側に突出する。ガイド３１Ａ、３１Ｂの各面は、左右方向を向く。ガイド３１Ａ、３１Ｂは、トレイ面３６に沿って左右方向に移動可能である。ガイド３１Ａ、３１Ｂは、第一給紙装置３１に載置されたシートの左右方向の位置を、左右方向の中心に揃えることができる。ガイド３１Ａ，３１Ｂは、例えば、第一給紙装置３１の内部に設けられたラックピニオン機構によって、左右方向に連動して移動する。
【００３０】
第二給紙装置３２は、第一給紙装置３１の上側の端部から、後方斜め上側に向けて延びる。第二給紙装置３２は、トレイ面３６と平行に、且つ、後方斜め上側と前方斜め下側とに移動可能である。以下、第二給紙装置３２の上面を、「トレイ面３７」という。第三給紙装置３３は、第二給紙装置３２の上側の端部から、後方斜め上側に向けて延びる。第三給紙装置３３は、トレイ面３６、３７と平行に、且つ、且つ、後方斜め上側と前方斜め下側とに移動可能である。以下、第三給紙装置３３の上面を、「トレイ面３８」という。
【００３１】
第二給紙装置３２の上側の端部のうち、第三給紙装置３３の両脇に、ガイド３２Ａが設けられる。ガイド３２Ａは、トレイ面３７から前方斜め上側に延びる。第三給紙装置３３の上端部に、ガイド３３Ａが設けられる。ガイド３３Ａは、トレイ面３８から前方斜め上側に延びる。第二給紙装置３２、及び、第三給紙装置３３は、給紙装置３に載置された複数のシートの大きさに応じて移動することによって、ガイド３２Ａ、３３Ａの位置を調整できる。
【００３２】
＜給紙ローラ、排出ローラ５１、５２＞
図１１に示すように、第一筐体１１には、図示しない給紙ローラと、排出ローラ５１及び、排出ローラ５２が設けられている。排出ローラ５２及び排出ローラ５１は、後方斜め上側から前方斜め下側に一列に並ぶ。図１１に示すように、排出ローラ５１、５２の軸方向は、左右方向を向く。図５に示すように、排出ローラ５１の軸線に沿って軸部材５１Ａが延びる。排出ローラ５２の軸線に沿って軸部材５２Ａが延びる。軸部材５１Ａ、５２Ａは、第一筐体１１の図示しない支持部材に回転可能に支持される。軸部材５１Ａ、５２Ａは、図示しないモータの回転に応じて回転する。排出ローラ５１は、軸部材５１Ａの回転に応じて回転する。排出ローラ５２は、軸部材５２Ａの回転に応じて回転する。
【００３３】
第二筐体１２には、従動ローラ５３及び従動ローラ５４が設けられている。従動ローラ５４及び従動ローラ５３は、後方斜め上側から前方斜め下側に一列に並ぶ。従動ローラ５３及び従動ローラ５４の軸方向は、左右方向を向く。図１１に示すように、従動ローラ５３の軸線に沿って軸部材５３Ａが延びる。従動ローラ５４の軸線に沿って軸部材５４Ａが延びる。軸部材５３Ａ、５４Ａは、第一筐体１１の図示しない支持部材に回転可能に支持される。従動ローラ５３は排出ローラ５１に当接して従動する。従動ローラ５４は排出ローラ５２に当接して従動する。図示しない搬送ローラ、排出ローラ５１、排出ローラ５２、従動ローラ５３及び従動ローラ５４によりシートが給紙装置３から排紙装置２側にされる。排出ローラ５１と従動ローラ５３とが当接してシートを挟む点がニップ点５５である。
【００３４】
＜画像読取部９３＞
図１１に示すように、排出ローラ５１と排出ローラ５２との間には、左右方向に延設された画像読取部９３が設けられている。従動ローラ５３と従動ローラ５４との間にも左右方向に延設された画像読取部９４が設けられている。画像読取部９３が搬送されるシートの下面を読み取り、画像読取部９４が搬送されるシートの上面を読み取る。画像読取部９３，９４は周知の接触型イメージセンサ（ＣＩＳ）である。画像読取部９３は、第一筐体１１の第一面１１Ａのうち、搬送方向において排出ローラ５１、５２の間の部分に設けられる。画像読取部９３は、制御部１３１（図１参照）と電気的に接続する。画像読取部９３は、読み取った画像のデータを、制御部１３１に出力する。画像読取部９３と対向する第二筐体１２側にも画像読取部９４が設けられている。画像読取部９４は周知の接触型イメージセンサ（ＣＩＳ）であり、制御部１３１（図１参照）と電気的に接続する。
【００３５】
＜引き出し動作及び原理＞
次に、排紙装置２の引き出し動作及び原理を説明する。画像読取装置１においては、図１及び図３に示すように、支持部４内に、第一排紙トレイ２１、第二排紙トレイ２２、第三排紙トレイ２３が収容されている。はじめに、使用者が指を把持部２４の凹部２４Ａに挿入して、把持部２４を引き起こす。次いで、使用者は、把持部２４を引き出し方向である前方に引く。
【００３６】
図７に示すように、第一排紙トレイ２１、第二排紙トレイ２２、第三排紙トレイ２３が移動する直前の状態においては、第三排紙トレイ２３を収容した第二排紙トレイ２２が第一排紙トレイ２１の内部に収容されている状態における第一突出部２１２の高さは、支持壁４０の下面４５よりも低い。また、第一排紙トレイ２１の第一係合部２１３の下端部２１３Ａから第一突出部２１２の頂部２１２Ａまでの高さを第一高さＨ１という。第二排紙トレイ２２の第二係合部２２３の下端部２２３Ａから第二突出部２２１の頂部２２１Ａまでの高さを第二高さＨ２という。第一高さＨ１と第二高さＨ２との合計の高さを合計高さＨＡという。第三排紙トレイ２３の第三突出部２３１の頂部２３１Ａから支持壁４０の下面４５までの高さを第三高さＨ３という。合計高さＨＡは第三高さＨ３よりも高い。
【００３７】
また、図７に示すように、第三排紙トレイ２３を収容した第二排紙トレイ２２が第一排紙トレイ２１の内部に収容されている状態において、第三排紙トレイ２３の第三突出部２３１の頂部２３１Ａから第一係合部２１３の下端部２１３Ａまでの高さを第五高さＨ５という。第二高さＨ２は第五高さＨ５よりも高い。従って、第一突出部２１２及び第二突出部２２１は、上方に撓む余地がない。
【００３８】
さらに、第二突出部２２１は、第一係合部２１３よりも後方側に位置し、第三排紙トレイ２３の第三突出部２３１は、第二排紙トレイ２２の第二係合部２２３よりも後方側に位置する。従って、使用者が把持部２４を引き出し方向である前方向に引くと、第三排紙トレイ２３が前方向に移動し、第三排紙トレイ２３の第三突出部２３１が第二排紙トレイ２２の第二係合部２２３に係合する。従って、第三排紙トレイ２３と一体に第二排紙トレイ２２が前方向に移動する。第二排紙トレイ２２の前方向への移動に伴って、第二突出部２２１が前方向に移動し、第一係合部２１３に係合する。従って、第三排紙トレイ２３、第二排紙トレイ２２及び第一排紙トレイ２１が一体で前方向に移動する。従って、図６（１）に示すように、支持部４内から第一排紙トレイ２１が引き出された状態になる。第一排紙トレイ２１内には、第三排紙トレイ２３を収容した第二排紙トレイ２２が収容されている。尚、支持部４内に設けられた図示しない係止部材により、第一排紙トレイ２１が係止されて、図６（１）に示す状態以上に、第一排紙トレイ２１が支持部４内から引き出されない。
【００３９】
図８に示すように、第一排紙トレイ２１の第一突出部２１２の頂部２１２Ａは、第一収容部空間４２の垂直壁面４１Ａの下を通過し、第一収容部空間４２に対向する。従って、図７に示す第一高さＨ１と第二高さＨ２の合計高さＨＡは、図８に示す第三排紙トレイ２３の第三突出部２３１の頂部２３１Ａから第一収容部空間４２の頂部４２Ａまでの第四高さＨ４よりも低くなる。次いで、使用者が、把持部２４を更に引き出し方向である前方向に引くと、第三突出部２３１が第二係合部２２３に係合して、第二排紙トレイ２２が引き出し方向に移動する。従って、第二突出部２２１が第一係合部２１３を押し上げるので、第一排紙トレイ２１が撓んで、第一突出部２１２が第一収容部空間４２方向に移動する。
【００４０】
従って、第二突出部２２１が第一係合部２１３を乗り越えて、第三排紙トレイ２３と一体に第二排紙トレイ２２が前方向に移動する。図６（２）は、第二排紙トレイ２２が第一排紙トレイ２１から引き出された状態である。尚、第一排紙トレイ２１内に設けられた図示しない係止部材により、第二排紙トレイ２２が係止されて、図６（２）に示す状態以上に、第二排紙トレイ２２が第一排紙トレイ２１内から引き出されない。
【００４１】
図１０に示すように、第一排紙トレイ２１の第二収容部空間２１６に第二排紙トレイ２２の第二突出部２２１の頂部２１２Ａが対向している。従って、第二係合部２２３の下端部２２３Ａから第二突出部２２１の頂部２２１Ａまでの第二高さＨ２は、第三排紙トレイ２３の第三突出部２３１の頂部２３１Ａから第一排紙トレイ２１の第二収容部空間２１６の頂部２１６Ａまでの第六高さＨ６よりも低い。次いで、使用者が、把持部２４を更に引き出し方向に引くと、第三排紙トレイ２３の第三突出部２３１が第二排紙トレイ２２の第二係合部２２３を押し上げる。この結果、第二排紙トレイ２２が撓んで、第二突出部２２１が第一排紙トレイ２１の第二収容部空間２１６方向に移動する。従って、第三排紙トレイ２３の第三突出部２３１が第二排紙トレイ２２の第二係合部２２３を乗り越えて、第三排紙トレイ２３が前方向に移動する。図６（３）は、第三排紙トレイ２３が第二排紙トレイ２２から引き出された状態である。尚、第二排紙トレイ２２内に設けられた図示しない係止部材により、第三排紙トレイ２３が係止されて、図６（３）に示す状態以上に、第三排紙トレイ２３が第二排紙トレイ２２内から引き出されない。
【００４２】
以上説明したように、使用者が、把持部２４を引き出し方向である前方向に引くと、図６（１）に示すように、はじめに、支持部４から第一排紙トレイ２１が引き出される。次いで、図６（２）に示すように、第一排紙トレイ２１から第二排紙トレイ２２が引き出される。最後に、図６（３）に示すように、第二排紙トレイ２２から第三排紙トレイ２３が引き出される。
【００４３】
図４及び図８に示すように、第一排紙トレイ２１が支持部４から引き出されると、支持部４の突出部４１の第一傾斜面４１Ｂと第一排紙トレイ２１の第一排紙面２１Ａとを、第一排紙トレイ２１の第二傾斜面２１４Ｂが連続させる。
【００４４】
＜収容動作及び原理＞
次に、排紙装置２の収容動作及び原理を説明する。図２、及び図４に示すように、第三排紙トレイ２３が一番小さく、第二排紙トレイ２２が二番面に小さく、第一排紙トレイ２１が一番大きいので、第三排紙トレイ２３が一番軽く、第二排紙トレイ２２が二番面に軽く、第一排紙トレイ２１が一番重い。従って、第三排紙トレイ２３が第二排紙トレイ２２内に収容される操作荷重が一番小さく、次いで、第二排紙トレイ２２が第一排紙トレイ２１内に収容される操作荷重が二番目に小さく、第一排紙トレイ２１が支持部４内に収容される操作荷重が一番大きい。
【００４５】
従って、図６（３）に示すように、第一排紙トレイ２１、第二排紙トレイ２２及び第三排紙トレイ２３が全て引き出された状態から、使用者が把持部２４を収容方向に押し込むと、図６（２）に示すように、第三排紙トレイ２３が第二排紙トレイ２２に収容される。次いで、図６（１）に示すように、第二排紙トレイ２２が第一排紙トレイ２１に収容される。最後に、図１及び図３に示すように、第一排紙トレイ２１が支持部４に収容される。
【００４６】
以上説明したように、使用者が、把持部２４を収容方向に押すと、はじめに、第三排紙トレイ２３が第二排紙トレイ２２に収容され、次いで、第二排紙トレイ２２が第一排紙トレイ２１に収容され、最後に、第一排紙トレイ２１が支持部４に収容される。
【００４７】
＜画像読取装置１の動作＞
はじめに、給紙装置３にシートが載置され、操作部１２２が操作され、制御部に読み取りの指示が行われると、シートは図示しない搬送ローラにより搬送される。図１１に示す排出ローラ５２及び従動ローラ５４によりシートは、画像読取部９３，９４に対向する位置に搬送され、画像読取部９３，９４は、上流から下流に向けて搬送されるシートの各面の画像データを各々読み取る。画像読取部９３，９４は、読み取った画像データを制御部１３１に出力する。次いで、排出ローラ５１及び従動ローラ５３によりシートは、第一排紙トレイ２１の第一排紙面２１Ａに向けて排出される。
【００４８】
図１１に示すように、支持壁４０において第一収容部空間４２と反対側の第一傾斜面４１Ｂと、排出ローラ５１と従動ローラ５３とのニップ点５５における接線方向３９と平行な接線方向３９Ａとのなす第一角αは、接線方向３９と第一排紙面２１Ａとのなす第二角βよりも小さい。
【００４９】
＜本実施形態の主たる作用、効果＞
画像読取装置１は、使用者が、把持部２４を引き出し方向に引くと、はじめに、支持部４から第一排紙トレイ２１が引き出され、次いで、第一排紙トレイ２１から第二排紙トレイ２２が引き出され、最後に、第二排紙トレイ２２から第三排紙トレイ２３が引き出される。また、使用者が、把持部２４を収容方向に押すと、はじめに、第三排紙トレイ２３が第二排紙トレイ２２に収容され、次いで、第二排紙トレイ２２が第一排紙トレイ２１に収容され、最後に、第一排紙トレイ２１が支持部４に収容される。従って、第二排紙トレイ２２のマーク２６Ａ、マーク２６Ｂ及びマーク２６Ｃのいずれかを第一排紙トレイ２１の前端部に位置合わせしたい場合には、第一排紙トレイ２１が先に引き出され、次いで、第二排紙トレイ２２が引き出される。使用者が、第二排紙トレイ２２を引き出し過ぎた場合には、使用者が、把持部２４を収容方向に押し込む。この場合には、第一排紙トレイ２１が動かずに、第二排紙トレイ２２が先に第一排紙トレイ２１収容される。従って、第一排紙トレイ２１及び第二排紙トレイ２２を支持部４に全て収納して最初からやり直す必要がない。従って、第二排紙トレイ２２のマーク２６Ａ、マーク２６Ｂ及びマーク２６Ｃのいずれかへの位置合わせが、引き出し時と収容時時のどちらでも正確にできる。
【００５０】
また、支持壁４０において第一収容部空間４２と反対側の第一傾斜面４１Ｂと、排出ローラ５１と従動ローラ５３とのニップ点５５における接線方向３９とのなす第一角αは、第一排紙面２１Ａと接線方向３９Ａとのなす第二角βよりも小さいので、排出ローラ５１によって排出されるシートが第一傾斜面４１Ｂに浅い角度で当接する。従って、シートが座屈して排紙される可能性が低減される。すなわちシートの先端が第一排紙面２１Ａに当接して、シートの先端よりもシートの後端が前方向に排出され、シートの表面と裏面とがひっくり返る座屈が生じる可能性が低減される。また、第一収容部空間４２が第一傾斜面４１Ｂの内部に配置されるので、スペースを節約でき、排紙装置を小型化できる。
【００５１】
また、第二傾斜面２１４Ｂが第一傾斜面４１Ｂと第一排紙面２１Ａとを連続するので、段差ができずに、シートが円滑に排出される。
【００５２】
第二傾斜面２１４Ｂが第一排紙トレイ２１の突出部２１４よりも低い位置に形成されているので、第二傾斜面２１４Ｂが第一排紙トレイ２１の引き出し及び収容の妨げにならない。
【００５３】
＜変形例＞
本発明は上記実施形態に限定されず、種々の変更が可能である。画像読取装置１は、シートの搬送機能のみを有する装置であってもよい。この場合、画像読取装置１は画像読取部９３を有していなくてもよい。また、第一排紙トレイ２１の第一係合部２１３と係合するのは、第二排紙トレイ２２の第二突出部２２１でなく、突出部２２０でもよい。
【００５４】
また、第一突出部２１２、第一係合部２１３、第二突出部２２１、突出部２２０、第二係合部２２３、及び第三突出部２３１は必ずしも全て同一垂直面上になくても良い。第一係合部２１３と第二突出部２２１又は突出部２２０とが係合する垂直面と、第二係合部２２３と第三突出部２３１とが係合する垂直面とが異なった面であってもよい。即ち、第一係合部２１３と第二突出部２２１又は突出部２２０とが係合可能であり、第二係合部２２３と第三突出部２３１とが係合可能であればよい。この場合には、第一係合部２１３、第二突出部２２１、突出部２２０、第二係合部２２３及び第三突出部２３１の配置の自由度が高まる。また、排紙装置２の上下方向における大きさを小さくできる。従って、画像読取装置１の上下方向における大きさを小さくできる。
【００５５】
また、第一係合部２１３は、第一排紙トレイ２１の下面側に突出する突出部に限られず、突出部２２０又は第二突出部２２１の高さを高くして、第一係合部２１３を第一排紙トレイ２１の後端部としてもよい。また、第二係合部２２３も第二排紙トレイ２２の下面側に突出する突出部に限られず、第三突出部２３１の高さを高くして、第二係合部２２３を第二排紙トレイ２２の後端部としてもよい。
【００５６】
マーク２５Ａ〜マーク２７Ｂは、必ずしも第一排紙面２１Ａ〜第三排紙面２３Ａに設ける必要はなく、第一排紙トレイ２１〜第三排紙トレイ２３の側面に設けてもよい。また、マーク２５Ａ〜マーク２７Ｂは、印刷でも、第一排紙トレイ２１〜第三排紙トレイ２３と一体成型でもよい。さらに、シートは紙に限られず、合成樹脂製のシート等でもよい。画像読取装置１が本発明の「画像処理装置」の一例である。すなわち、「画像処理装置」は、画像読取部９３を備える画像読取装置１に限られず、インクジェットプリンタ、レーザプリンタなどであってもよい。
【符号の説明】
【００５７】
１        画像読取装置
２        排紙装置
４        支持部
２１      第一排紙トレイ
２１Ａ    第一排紙面
２２      第二排紙トレイ
２２Ａ    第二排紙面
２３      第三排紙トレイ
２３Ａ    第三排紙面
２４      把持部
２５Ａ〜２５Ｃ、２６Ａ〜２６Ｃ、２７Ａ〜２７Ｂ  マーク
３９      接線方向
４０      支持壁
４１      突出部
４１Ｂ    第一傾斜面
４２      第一収容部空間
５１      排出ローラ
５２      排出ローラ
５３      従動ローラ
５４      従動ローラ
５５      ニップ点
９３、９４  画像読取部
１３１    制御部
２１２    第一突出部
２１３    第一係合部
２１４    突出部
２１４Ｂ  第二傾斜面
２１６    第二収容部空間
２２０    第二突出部
２２１    第二突出部
２２３    第二係合部
２３１    第三突出部
Ｈ１      第一高さ
Ｈ２      第二高さ
Ｈ３      第三高さ
Ｈ４      第四高さ
Ｈ５      第五高さ
Ｈ６      第六高さ
α        第一角
β        第二角
【図１】
2016190710.tif 000003
【図２】
2016190710.tif 000004
【図３】
2016190710.tif 000005
【図４】
2016190710.tif 000006
【図５】
2016190710.tif 000007
【図６】
2016190710.tif 000008
【図７】
2016190710.tif 000009
【図８】
2016190710.tif 000010
【図９】
2016190710.tif 000011
【図１０】
2016190710.tif 000012
【図１１】
2016190710.tif 000013